(57)【特許請求の範囲】
【請求項１】
左右方向に延びる長尺材と前後方向に延びる長尺材とを枠組みした直方体状のフレームからなるキッチンキャビネットであって、
後面側の前記左右方向に延びる長尺材の下部は、壁面の所定高さ位置に固設されたブラケットに掛止可能な係止部を備える
ことを特徴とするキッチンキャビネット。
【請求項２】
前記ブラケットは、
壁面へ固定する固定片と、該固定片の上端から前方へ突出する載置片と、該載置片の前端で立ち上がる立上片を備えている
ことを特徴とする請求項１に記載のキッチンキャビネット。
【発明の詳細な説明】
【技術分野】
【０００１】
本発明は、キッチンキャビネットに関するものである。
【背景技術】
【０００２】
従来、この種のキッチンカウンターとして、壁面に固定したブラケットに、シンクと調理器を備えたカウンター本体を載置した構造のものが特許文献１に開示されている。
また、特許文献２には、壁に固定したハンガーに、カウンター本体の後側に設けた取付片を引っ掛けて係止させる構造が開示されている。
また、特許文献３には、四角柱状の骨組みに、天板を載置した構造の台所装置が開示されている。
【先行技術文献】
【特許文献】
【０００３】
【特許文献１】特開平１１−１２７９９１号公報
【特許文献２】実開昭６０−１５４０８９号公報
【特許文献３】特開昭６０−１２０１４号公報
【発明の概要】
【発明が解決しようとする課題】
【０００４】
上記特許文献１，特許文献２，特許文献３に開示されている構造を組み合わせたとしても、軽量化したキッチンキャビネットを壁掛け式にする構成は発想できないが、キッチンキャビネットを壁掛け式にしようとすると、強度の大なる大型のブラケットが必要となり、施工が困難なものとなってしまうという新たな問題点がでてくる。
【課題を解決するための手段】
【０００５】
本発明は、壁掛け式で設置できるキッチンキャビネットの提供を目的とし、この目的の少なくとも一部を達成するために以下の手段を採った。
本発明のキッチンキャビネットは、左右方向に延びる長尺材と前後方向に延びる長尺材とを枠組みした直方体状のフレームからなるキッチンキャビネットであって、
後面側の前記左右方向に延びる長尺材の下部は、壁面の所定高さ位置に固設されたブラケットに掛止可能な係止部を備える
ことを要旨とする。
【発明の効果】
【０００６】
本発明のキッチンキャビネットは、骨組みとなるフレームを有し、このフレームを構成する後面側の左右方向に延びる長尺材の下部の係止部を、壁面の所定高さ位置に固設したブラケットに掛止することで、フレームを壁面に取り付けることができ、壁掛け式のキッチンキャビネットの設置が可能となる。
【０００７】
また、本発明のキッチンキャビネットにおいて、前記ブラケットは、壁面へ固定する固定片と、該固定片の上端から前方へ突出する載置片と、該載置片の前端で立ち上がる立上片を備えているものとすることもできる。
こうすれば、フレームの後面側の左右方向に延びる長尺材の下部の係止部をブラケットの載置片上に載せると、前側にブラケットの立上片が配置されるため、フレームがブラケットから外れることがなく、ブラケットを介し良好にフレームが壁面に支持される。
【図面の簡単な説明】
【０００８】
【図１】キッチンキャビネットの設置完成状態の斜視図である。
【図２】キッチンキャビネットの骨組みとなるフレームと、遮蔽部材の分解斜視図である。
【図３】フレームを構成する前面側上部長尺材１２と縦枠材１８ａと上部連結長尺材１４ａの連結部分の拡大図である、
【図４】前面側上部長尺材１２と縦枠材１８ａと上部連結長尺材１４ａの連結前の分解図である。
【図５】壁面に固設したブラケットにフレームの長尺材を掛止した状態の要部断面拡大構成図である。
【発明を実施するための形態】
【０００９】
次に、本発明を実施するための形態を実施例を用いて説明する。
図１は、システムキッチンの設置状態の斜視構成図であり、システムキッチン１は、複数の引出し３，３，３を備えたキッチンキャビネット２の上面に、カウンター４が設けられ、このカウンター４には、水栓６を備えたシンク５と、コンロ７が設けられている。
また、図１において、図中８は、引出し３の下方の前板１０の底側に設けられた遮蔽部材であり、図中９は、側面に取り付けられた側板である。
【００１０】
このキッチンキャビネット２は、骨組みとなるフレーム１１を有し、このフレーム１１と遮蔽部材８の分解図を図２に示す。
フレーム１１は、金属製の角パイプ状の複数の長尺材を一体状に枠組みして軽量化されており、前面側上部長尺材１２と前面側下部長尺材１５の左右端が縦方向の縦枠材１８ａ，１８ｃに連結され、また、後方側の後面側上部長尺材１３と後面側下部長尺材１６の左右端が縦方向の縦枠材１８ｂ，１８ｄに連結されて、縦枠材１８ａ，１８ｂ間には、上端側に上部連結長尺材１４ａが連結され、下端側に下部連結長尺材１７ａが連結されている。また、縦枠材１８ｃと縦枠材１８ｄ間には、上端側に上部連結長尺材１４ｂが連結され、下端側には下部連結長尺材１７ｂが連結されて枠組みされている。
【００１１】
図３には、前面側上部長尺材１２と縦枠材１８ａと上部連結長尺材１４ａの連結部分の拡大図を示し、図４には、連結前の分解図を示す。
縦枠材１８ａは、外側の外板部１８０と内側の平行な内板部１８１の一端側が外直交板部１８２でコの字状に一体化されており、外直交板部１８２と平行に内直交板部１８３が設けられて、縦枠材１８ａは略角パイプ状に形成されている。
この縦枠材１８ａの外板部１８０には上下方向に間隔をおいて、ネジ３１の頭部より大径の大径孔１８４，１８４が貫通形成されており、内板部１８１の大径孔１８４，１８４と対向する位置には、ネジ３１の頭部より小径の小径孔１８５，１８５が貫通形成されている。
また、内直交板部１８３にも、ネジ３１の頭部より大径の大径孔１８６が貫通形成されており、外直交板部１８２の大径孔１８６と対向する位置には、ネジ３１の頭部より小径の小径孔が形成されている。
【００１２】
一方、角パイプ状の前面側上部長尺材１２の内周底側には締め付け孔部１２０が形成されており、また、角パイプ状の上部連結長尺材１４ａの内周側の左右には締め付け孔部１４０，１４０が形成されている。また、前面側上部長尺材１２の下方に配置されて縦枠材１８ａに連結される幕板材２４の内周底側にも締め付け孔部２４０が形成されている。
【００１３】
縦枠材１８ａの大径孔１８４に外側からネジ３１を入れて、ネジ３１を小径孔１８５に通し、ネジ３１を締め付け孔部１２０に締め付けてゆくことにより、前面側上部長尺材１２がネジ３１により縦枠材１８ａに締め付け固定されるものである。また同様に、ネジ３１を大径孔１８４から小径孔１８５を通して締め付け孔部２４０に締め付けることで、幕板材２４を縦枠材１８ａに固定することができる。
また、直交する内直交板部１８３の大径孔１８６にネジ３１を入れて、ネジ３１を外直交板部１８２の小径孔に通し、ネジ３１を締め付け孔部１４０に締め付けてゆくことにより、上部連結長尺材１４ａを縦枠材１８ａの外直交板部１８２に固定することができる。
【００１４】
この縦枠材１８ａと他の縦枠材１８ｂ，１８ｃ，１８ｄは同様な構造であり、縦枠材１８ｂにネジ３１を介して後面側上部長尺材１３，後面側下部長尺材１６，上部連結長尺材１４ａ，下部連結長尺材１７ａをそれぞれ連結固定することができる。また、縦枠材１８ｃにネジ３１を介して前面側上部長尺材１２，前面側下部長尺材１５，上部連結長尺材１４ｂ，下部連結長尺材１７ｂをそれぞれ連結固定することができる。また、縦枠材１８ｄにネジ３１を介して後面側上部長尺材１３，後面側下部長尺材１６，上部連結長尺材１４ｂ，下部連結長尺材１７ｂをそれぞれ連結固定することができる。
【００１５】
なお、フレーム１１には、縦枠材１８ａ，１８ｃと平行状に角パイプ状の仕切り縦枠材１９，１９，１９が内側に間隔をおいて縦方向にそれぞれ設けられており、また、後方側の縦枠材１８ｂ，１８ｄ間にも平行状に仕切り縦枠材１９，１９が設けられており、前方側および後方側の各仕切り縦枠材１９，１９，１９の上端および下端には、それぞれ前後方向に仕切り前後枠材２０，２０，２０が連結固定されている。
【００１６】
また、前面側下部長尺材１５から後面側下部長尺材１６に向かって前後方向に水平に延びる補強枠材２１，２１が複数本底側に設けられており、この補強枠材２１と平行状に前後の仕切り縦枠材１９，１９間に複数のレール材２２，２２が設けられて、骨組みとなるフレーム１１が形成されている。
【００１７】
このフレーム１１は、壁面Ｗに予め固設した、例えば２個のブラケット２５，２５に掛止して壁面Ｗに取り付け施工できるものである。
壁面Ｗの所定高さ位置に水平な基準線Ｒを設け、この基準線Ｒに沿って左右に間隔をおいて２個のブラケット２５，２５をそれぞれネジ３０を用いて壁面Ｗに固定することで、２個のブラケット２５，２５は水平状に壁面Ｗに固設されるものである。
【００１８】
この各ブラケット２５は、図５に拡大断面図で示すように、ネジ３０により壁面Ｗに固定される固定片２６の上端に、前方側へ略水平に突出する載置片２７が一体形成され、載置片２７の前端に、上方へ一体状に立ち上がる立上片２８が形成されたものである。
なお、ブラケット２５の固定片２６には、ネジ３０を通す通し孔２６ａが形成されている。
【００１９】
このように予め水平な基準線Ｒに沿って水平状に２個のブラケット２５，２５を壁面Ｗの所定高さ位置に固設しておき、この状態で、フレーム１１を持ち上げて、フレーム１１の後面側上部長尺材１３を、ブラケット２５，２５に掛止することができる。
掛止状態では、フレームの後面側上部長尺材１３が、図５に示すように各ブラケット２５の載置片２７上に載置され、この状態で、載置された後面側上部長尺材１３の前面にブラケット２５の立上片２８が立ち上がるため、フレーム１１は前側にずり落ちることがなく、良好にブラケット２５，２５を介して壁面Ｗに取り付けられる。
【００２０】
なお、ブラケット２５，２５は水平状に固設されているため、フレーム１１をブラケット２５，２５に掛止することで、フレーム１１は水平状に壁面Ｗに支持されることとなり、ブラケット２５，２５に掛止するだけでフレーム１１は水平状となり、面倒な底面全面に亘る水平出し作業は不要となる。
【００２１】
なお、フレーム１１をブラケット２５，２５に掛止した状態で、フレーム１１の前面側下部長尺材１５或いは補強枠材２１，２１に予め設けられている複数のアジャスターボルト２３，２３をそれぞれ高さ調節して、各アジャスターボルト２３の下端を床面Ｆに当接させ、複数のアジャスターボルト２３，２３，２３を介し、フレーム１１の重量を床面Ｆで支持することができる。
なお、フレーム１１の後面側上部長尺材１３或いは後面側下部長尺材１６は別途ビス等を用いて壁面Ｗに更に強固に固定させることもできる。
【００２２】
このようにして壁面Ｗに水平状にフレーム１１を取り付け、このフレーム１１の上面にカウンター４を取り付けて、更にシンク５およびコンロ７を取り付けることができ、更にフレーム１１内の空間内に、前方側へ引出し可能に引出し３，３を組み付けることができ、更にフレーム１１の前面下部に前板１０を取り付け、フレーム１１の底側前部に遮蔽部材８を嵌め込んで、フレーム１１の底側と床面Ｆ間の隙間及び複数のアジャスターボルト２３，２３をこの遮蔽部材８で良好に隠蔽させることができる。
なお、遮蔽部材８は、フレーム１１の底側前面を全域に亘り遮蔽することのできる横長状の前面片８ａと、この前面片８ａの左右端側に後方側へ延びる側面片８ｂ，８ｂが一体形成されたものを用いることができる。
【００２３】
このように本例では、長尺材を枠組みした骨組みとなるフレーム１１を備えているため強度が大であり、軽量なキッチンキャビネット２とすることができ、しかも、壁面Ｗに水平状に２以上のブラケット２５，２５を予め固設させておけば、このブラケット２５，２５にフレーム１１を掛止させて、フレーム１１を水平状態に壁面Ｗに設置することができ、従来のような水平出し作業が不要となり、また、遮蔽部材８を底側に嵌め込んで床面Ｆとの隙間を良好に隠蔽させることができ、壁掛け式のキッチンキャビネット２を容易に施工することができるものとなる。
【符号の説明】
【００２４】
１  システムキッチン
２  キッチンキャビネット
３  引出し
４  カウンター
５  シンク
７  コンロ
８  遮蔽部材
１０  前板
１１  フレーム
１２  前面側上部長尺材
１３  後面側上部長尺材
１４ａ，１４ｂ  上部連結長尺材
１５  前面側下部長尺材
１６  後面側下部長尺材
１７ａ，１７ｂ  下部連結長尺材
１８ａ，１８ｂ，１８ｃ，１８ｄ  縦枠材
１９  仕切り縦枠材
２１  補強枠材
２２  レール材
２３  アジャスターボルト
２５  ブラケット
２６  固定片
２７  載置片
２８  立上片
Ｗ  壁面
Ｆ  床面
【図１】
0005506240.tif 000002
【図２】
0005506240.tif 000003
【図３】
0005506240.tif 000004
【図４】
0005506240.tif 000005
【図５】
0005506240.tif 000006